(57)【要約】【課題】水切り袋以外の部分には生ゴミが接触せず、水切り袋を交換すれば水切り袋と共に汚れやカビを除去でき衛生的で、しかも小さなスペースで備えることができて邪魔になることのない水切り袋保持具を提供する。【解決手段】水切り袋Ｆの開口側を上にして、水切り袋Ｆの開口側端部を枠状体３の本体部５に通す。そして水切り袋Ｆの開口を広げ、本体部５より上側にある水切り袋Ｆの端部を折り返して、その折り返した部分を本体部５に掛ける。次に内側枠状体４１を本体部５に上から嵌める。内側枠状体４１を本体部５に嵌めると、内側枠状体４１が水切り袋Ｆの開口側端部を押えて保持する。これにより、水切り袋Ｆは開口側を上にした吊り下げ状態で水切り袋保持具１に保持される。水切り袋保持具１に保持された水切り袋Ｆに生ゴミを投入すると、生ゴミが水切り袋Ｆの下端部に溜まり、水切り袋Ｆ以外の部分には生ゴミが接触しない。【選択図】        図２
0003150857.tif 000002
【実用新案登録請求の範囲】
【請求項１】
水切り袋の開口を広げ、且つ水切り袋の開口側端部を保持して開口側を上にした吊り下げ状態で保持する水切り袋保持部と、前記水切り袋保持部を所望の箇所に取り付ける取付手段とを備えたことを特徴とする水切り袋保持具。
【請求項２】
請求項１に記載した水切り袋保持具において、取付手段は取り付け箇所の面の角度に対応することができることを特徴とする水切り袋保持具。
【請求項３】
請求項１または２に記載した水切り袋保持具において、水切り袋保持部は水切り袋の開口側端部を通す枠状体と、前記枠状体に通された水切り袋の開口側端部を押えるストッパとによって構成されていることを特徴とする水切り袋保持具。
【請求項４】
請求項３に記載した水切り袋保持具において、ストッパは枠状体に嵌る内側枠状体によって構成されていることを特徴とする水切り袋保持具。
【考案の詳細な説明】
【技術分野】
【０００１】
本考案は流し台に備えられる水切り袋保持具に関するものである。
【背景技術】
【０００２】
流し台の隅角部などに備え、生ゴミ等を投入する流し台用ゴミ容器として特許文献１に記載されたものがある。この流し台用ゴミ容器に生ゴミを直接入れておくと、短い期間のうちに容器に汚れが付着したりカビが生えてしまったりして不衛生である。そこで、流し台用ゴミ容器内に多数の小孔を有する水切り袋を装着し、この水切り袋に生ゴミ等を投入しておき、水切り袋ごと生ゴミを捨てるようにしている。
【先行技術文献】
【特許文献】
【０００３】
【特許文献１】特開２００３−３４４０３号公報
【考案の概要】
【考案が解決しようとする課題】
【０００４】
しかしながら、水切り袋が流し台用ゴミ容器に収容され、水切り袋と流し台用ゴミ容器と常に接触しているため容器の内面が汚れたり、容器にカビが生えたりする。従って、水切り袋を交換しても容器に汚れやカビが残り、結局不衛生であるという問題がある。
また、流し台用ゴミ容器は案外大きなスペースを取り、大きな鍋を洗う場合など邪魔になることも少なくない。
本考案は上記従来の問題点に着目して為されたものであり、水切り袋以外の部分には生ゴミが接触せず、水切り袋を交換すれば水切り袋と共に汚れやカビを除去でき衛生的で、しかも小さなスペースで備えることができて邪魔になることのない水切り袋保持具を提供することを、その目的とする。
【課題を解決するための手段】
【０００５】
本考案は上記課題を解決するためになされたものであり、請求項１の考案は、水切り袋の開口を広げ、且つ水切り袋の開口側端部を保持して開口側を上にした吊り下げ状態で保持する水切り袋保持部と、前記水切り袋保持部を所望の箇所に取り付ける取付手段とを備えたことを特徴とする水切り袋保持具である。
【０００６】
請求項２の考案は、請求項１に記載した水切り袋保持具において、取付手段は取り付け箇所の面の角度に対応することができることを特徴とする水切り袋保持具である。
【０００７】
請求項３の考案は、請求項１または２に記載した水切り袋保持具において、水切り袋保持部は水切り袋の開口側端部を通す枠状体と、前記枠状体に通された水切り袋の開口側端部を押えるストッパとによって構成されていることを特徴とする水切り袋保持具である。
【０００８】
請求項４の考案は、請求項３に記載した水切り袋保持具において、ストッパは枠状体に嵌る内側枠状体によって構成されていることを特徴とする水切り袋保持具である。
【考案の効果】
【０００９】
本考案の水切り袋保持具によれば、水切り袋以外の部分には生ゴミが接触せず、水切り袋を交換すれば水切り袋と共に汚れやカビを除去でき衛生的である。また、小さなスペースで備えることができるので、邪魔になることがない。
【図面の簡単な説明】
【００１０】
【図１】本考案の実施の形態に係る水切り袋保持具の斜視図である。
【図２】図１の水切り袋保持具の使用状態の斜視図である。
【図３】図１の水切り袋保持具の取り付け方を説明するための図である。
【考案を実施するための形態】
【００１１】
本考案の実施の形態に係る水切り袋保持具１を図面にしたがって説明する。
符号３は枠状体を示し、この枠状体３は本体部５と、本体部５に一体に形成された連結部７とを有しており、本体部５は略矩形の枠状となっている。本体部５の外周面には、凸条９が形成されている。また本体部５の内周面には高さ方向に延びる複数の凸条１１が互いに間隔をあけて形成されている。
連結部７の後端部（本体部５と逆側の端面）に矩形の嵌合凹部が形成され、また上板に前記開口と同じ形状、サイズの嵌合凹部８が形成されている。また連結部７の前板には貫通する一対のネジ挿通穴１３が形成され（図３参照）、また上板にも貫通する一対のネジ挿通穴１５が形成されている。
【００１２】
符号２１は吸盤ホルダーを示し、この吸盤ホルダー２１は浅い椀状の吸盤収容部２３と、吸盤収容部２３に一体に形成された連結部２５とを有している。吸盤収容部２３内には図示しない複数の被係合片が設けられている。
連結部２５には図示しない一対の雌ネジ穴が形成されており、連結部７のネジ挿通穴１３に挿通された一対のネジ２７が前記連結部２５の一対の雌ネジ穴に螺合されて、連結部２５が連結部７に連結されている。また連結部２５の先端部は連結部７の後端部に形成された嵌合凹部に嵌っている。
【００１３】
符号３１は吸盤を示し、この吸盤３１には連結部材３３が取り付けられている。連結部材３３には複数の係合片３５が設けられており、これらの係合片３５は前述した吸盤収容部２３内に設けられた複数の被係合片に係合するようになっている。
取付手段は吸盤ホルダー２１と吸盤３１とによって構成されている。
符号４１はストッパとしての内側枠状体を示し、この内側枠状体４１は略矩形の枠状となっており、前述した枠状体３の本体部５に嵌るサイズに設定されている。内側枠状体４１の上側の外縁にはフランジ４３が設けられている。
水切り袋保持部は枠状体３と内側枠状体４１とによって構成されている。
【００１４】
次に、水切り袋保持具１の使用方法について説明する。
吸盤３１を流し台Ｎの角部付近の上面に当て、吸盤３１を押しつぶしてエアーを抜いて、吸盤３１を吸着状態にさせる。そして吸盤３１に吸盤収容部２３を被せ、吸盤収容部２３を回動させて、吸盤収容部２３内に設けられた複数の被係合片に複数の係合片３５を係合させる。これにより図３（ａ）に示すように吸盤収容部２３が吸盤３１に固定され、図２に示すように枠状体３が所望の箇所に取り付けられる。
【００１５】
次いで、水切り袋Ｆの開口側を上にして、水切り袋Ｆの開口側端部を枠状体３の本体部５に通す。そして水切り袋Ｆの開口を広げ、本体部５より上側にある水切り袋Ｆの端部を折り返して、その折り返した部分を本体部５に掛ける。次に内側枠状体４１を本体部５に上から嵌める。内側枠状体４１を本体部５に嵌めると、内側枠状体４１が水切り袋Ｆの開口側端部を押えて保持する。これにより、水切り袋Ｆは開口側を上にした吊り下げ状態で水切り袋保持具１に保持される。
【００１６】
上記のようにして水切り袋保持具１に保持された水切り袋Ｆに生ゴミを投入すると、生ゴミが水切り袋Ｆの下端部に溜まり、水切り袋Ｆ以外の部分には生ゴミが接触しない。従って、水切り袋保持具１に汚れが付着したり、水切り袋保持具１にカビが生えたりすることがない。また水切り袋Ｆだけに汚れが付着し、カビが生えても水切り袋Ｆだけにカビが生えることになるため、水切り袋Ｆを交換すれば水切り袋と共に汚れやカビを除去されることになり衛生的である。
また、小さなスペースで備えることができるので、大きな鍋等を洗う場合でも邪魔になることがない。
【００１７】
水切り袋保持具１を垂直な壁面に取付ける方法について説明する。
連結部７に形成された嵌合凹部８に連結部２５の先端部を嵌め、一対のネジ２７をネジ挿通穴１５に挿通して連結部２５の一対の雌ネジ穴に螺合し、図３（ｂ）に示すように連結部２５を連結部７に連結しておく。
また、吸盤３１を流し台Ｎの垂直な壁面に当て、吸盤３１を押しつぶしてエアーを抜いて、吸盤３１を吸着状態にさせる。そして上述したのと同様に吸盤３１に吸盤収容部２３を被せ、吸盤収容部２３を回動させて、吸盤収容部２３内に設けられた複数の被係合片に複数の係合片３５を係合させる。これにより吸盤収容部２３が吸盤３１に固定される。
上述したように連結部２５を連結部７に図３（ａ）に示すように連結したり、図３（ｂ）に示すように連結したりすることができるので、吸盤ホルダー２１と吸盤３１とによって構成される取付手段は、流し台Ｎの角部付近の上面（水平面）と垂直な壁面（垂直面）とに対応することが可能である。
【００１８】
以上、本考案の実施の形態について詳述してきたが、具体的構成は、この実施の形態に限られるものではなく、本考案の要旨を逸脱しない範囲における設計の変更などがあっても考案に含まれる。
上記実施の形態は、ストッパを内側枠状体４１によって構成したが、ストッパは水切り袋の開口側端部を押えることができればよく、例えばストッパをクランプ部材によって構成してもよい。
上記実施の形態は、取付手段を吸盤ホルダー２１と吸盤３１とによって構成したが、吸盤３１の替わりに両面テープやマグネット等を用いてもよい。
取付手段を流し台Ｎの上面と垂直な壁面とに対応することができる構成にしたが、取り付け箇所の面の角度に対応して適宜変更してもよい。
【産業上の利用可能性】
【００１９】
本考案は水切り袋保持具の製造業に利用可能である。
【符号の説明】
【００２０】
１…水切り袋保持具                  ３…枠状体
５…本体部                          ７…連結部
８…嵌合凹部                        ９、１１…凸条
１３、１５…ネジ挿通穴
２１…吸盤ホルダー                  ２３…吸盤収容部
２５…連結部                        ２７…ネジ
３１…吸盤                          ３３…連結部材
３５…係合片
４１…内側枠状体                    ４３…フランジ
Ｆ…水切り袋                        Ｎ…流し台
【図１】
0003150857.tif 000003
【図２】
0003150857.tif 000004
【図３】
0003150857.tif 000005